(57)【特許請求の範囲】
【請求項１】
洗浄液を収容する容器本体と、容器本体から洗浄液を吸引して吐出する吸引手段と、容器本体を支持する支持部材とを有する洗浄液用容器において、容器本体は、その全体が下部に向かうに連れて断面積が漸減していて容器本体は自立困難であり、吸引手段は吸引管とポンプ部を有し、前記吸引手段の吸引管は容器本体の中にあって吸い込み口が容器本体の底部に至り、支持部材は中央に開口を有する支承部を有し、容器本体は支承部の開口に挿入されて開口が容器本体の外面と接することによって支持されるものであり、容器本体の側面部の外面は下端の底部に向かうにつれて先細りしたテーパー状となっていて、このテーパー状となった部分の外面が支承部の開口に接するものであり、容器本体の上方はテーパー状に拡大し開放されて大きな開口部となり、この開口部を密閉する蓋部を吸引手段が有していて、この蓋部に下方へ押圧することでポンプ部を駆動させて洗浄液を外部へ吐出させる押圧ヘッド部を設けたことを特徴とする洗浄液用容器。
【発明の詳細な説明】
【技術分野】
【０００１】
本発明は、浴室などの壁面に設置されて使用される洗浄液用容器に関するものである。
【背景技術】
【０００２】
シャンプーやリンス、ボディーソープ等の洗浄液（以下、洗浄液とも言う）を入れた容器（以下、洗浄液用容器とも言う）は、押圧ヘッドを上下動させるのみで洗浄液を適量容器外に吐出することができるようにディスペンサーを備えたものが多数存在している。
【０００３】
また、このような洗浄液用容器は、資源の有効活用を図る観点から、洗浄液のみを詰め替えることによって容器そのものを継続して使用できるように詰め替えタイプの容器であることが多い。（例えば、特許文献１）
【先行技術文献】
【特許文献】
【０００４】
【特許文献１】特開２００８−２９０７４５号公報
【発明の概要】
【発明が解決しようとする課題】
【０００５】
ところで、ホテル等の公共施設などでは、洗浄液用容器は、不特定多数の人が使うことから、盗難等を防止するため、浴室内の壁面に一体的に設置されており、常時据え置かれていることが多い。また、ホテル等の公共施設などの清掃員は、利用者に快適に使用してもらうために、浴室内の清掃や洗浄液の詰め替えを頻繁に行っている。しかしながら、このような洗浄液用容器は、浴室内の壁面から洗浄液用容器を取り外すことが困難であり、例えば、浴室の壁面と洗浄液用容器との隙間に汚れが溜まると、その汚れを掃除することが困難となる。それ故に、浴室内の汚れを使用客が不快に感じ、集客力の低下に繋がる恐れがある。また、洗浄液用容器内の洗浄液の内容量が少なくなってくると、洗浄液をディスペンサーが吸引しにくくなる。そのため、洗浄液を最後まで使い切ることが困難であった。詰め替えの頻度が多くなり、コストがかさんでいる。
【０００６】
そこで、本発明では、従来技術の問題に鑑み、浴室内の掃除を容易にし、同時にシャンプー等の洗浄液を最後まで使い切ることが可能な容器装置を提供することを課題とする。
【課題を解決するための手段】
【０００７】
上記課題を解決するため、請求項１に記載の発明は、洗浄液を収容する容器本体と、容器本体から洗浄液を吸引して吐出する吸引手段と、容器本体を支持する支持部材とを有する洗浄液用容器において、容器本体は、その全体が下部に向かうに連れて断面積が漸減していて容器本体は自立困難であり、吸引手段は吸引管とポンプ部を有し、前記吸引手段の吸引管は容器本体の中にあって吸い込み口が容器本体の底部に至り、支持部材は中央に開口を有する支承部を有し、容器本体は支承部の開口に挿入されて開口が容器本体の外面と接することによって支持されるものであり、容器本体の側面部の外面は下端の底部に向かうにつれて先細りしたテーパー状となっていて、このテーパー状となった部分の外面が支承部の開口に接するものであり、容器本体の上方はテーパー状に拡大し開放されて大きな開口部となり、この開口部を密閉する蓋部を吸引手段が有していて、この蓋部に下方へ押圧することでポンプ部を駆動させて洗浄液を外部へ吐出させる押圧ヘッド部を設けたことを特徴とする洗浄液用容器である。
【０００９】
ここでいう「自立困難」とは、自立不能であることと自立不安定であることを共に含む概念である。自立不安定とは、外部からの衝撃を受けると容易に転倒する状態を表す。
【００１０】
かかる構成によれば、支持部材は中央に開口を有する支承部を有し、容器本体は支承部の開口に挿入されて開口が容器本体の外面と接することによって支持される。即ち、容器本体は開口が容器本体の外面と接することによって支持されている。そのため、容易に支持部材から容器本体を着脱可能になっており、取り外すことによって浴室内の床等の掃除が容易となる。それ故に、例えば、ホテル等の公共施設に使用する場合でも、使用客が浴室内の汚れを不快に感じることを防止することができる。
【００１１】
さらに、かかる構成によれば、容器本体は、その全体が下部に向かうに連れて断面積が漸減していて容器本体は自立困難である。即ち、本体容器のみでは、自立困難であるため、例えば、ホテル等の公共施設で使用される壁に固定される支持部材を用いると、使用客が容器本体を持ち帰る恐れが少なくなる。また、中間部から下部に向かうに連れて断面積が漸減しているため、例え、使用時に、シャンプー等の洗浄液の内容量が少なくなっていたとしても、吸引手段の洗浄液の吸引力を低下させずにほぼ最後まで洗浄液を使用できる。
【発明の効果】
【００１２】
本発明の洗浄液用容器によれば、支持部材は中央に開口を有する支承部を有し、容器本体は支承部の開口に挿入されて開口が容器本体の外面と接することによって支持される。即ち、容器本体は開口が容器本体の外面と接することによって支持されている。そのため、容易に支持部材から容器本体を着脱可能になっており、取り外すことによって浴室内の床等の掃除が容易となる。それ故に、例えば、ホテル等の公共施設に使用する場合でも、使用客が浴室内の汚れを不快に感じることを防止することができる。また、詰め替え容器から容器本体の内部に洗浄液を移し替える時、容器本体は上方の開口は大きいため、詰め替え容器から漏らさずに移し替えることが容易となり、しかも、支持部材の支承部によって容器本体の下方向への移動を規制しているため、使用者は、片手で押圧ヘッド部を押圧することで洗浄液を取り出すことが可能であって操作性が良い。
【００１３】
さらに本発明の洗浄液用容器によれば、容器本体は、その全体が下部に向かうに連れて断面積が漸減していて容器本体は自立困難である。即ち、本体容器のみでは、自立困難であるため、例えば、ホテル等の公共施設で使用される壁に固定される支持部材を用いると、使用客が容器本体を持ち帰る恐れが少なくなる。また、中間部から下部に向かうに連れて断面積が漸減しているため、例え、使用時に、シャンプー等の洗浄液の内容量が少なくなっていたとしても、吸引手段の洗浄液の吸引力を低下させずにほぼ最後まで洗浄液を使用できる。
【図面の簡単な説明】
【００１４】
【図１】本発明の第１実施形態の洗浄液用容器の分解斜視図である。
【図２】図１の洗浄液用容器の洗浄液の詰め替え動作の説明図である。
【図３】本発明の第２実施形態の洗浄液用容器の分解斜視図である。
【発明を実施するための形態】
【００１５】
以下に本発明の実施形態について詳細に説明する。なお、以下の説明において、特に断りがない限り、上下の関係は、洗浄液用容器を略垂直姿勢に設置した状態の姿勢を基準として説明している。
【００１６】
まず、本発明の第１実施形態に係る洗浄液用容器１の構成について説明する。
【００１７】
第１実施形態における洗浄液用容器１は、ホテル等の公共施設の浴室の壁面に固定されて使用されるものであり、シャンプー等の液状の洗浄液を収容可能なものである。洗浄液用容器１は、容器本体２と吸引手段３と支持部材５から構成されている。
【００１８】
以下に洗浄液用容器１の各部材に構成について説明する。
【００１９】
まず、容器本体２の構成について説明する。
【００２０】
容器本体２は、下方向に頂点を有した略円錐状の容器であり、底部６と側面部７を備えている。また、正面視において容器本体２の外形は、略鋭角三角形状となっている。そのため、容器本体２自体では、自立困難となっている。そして、容器本体２の底部６と側面部７は、互いに連続しており、容器本体２は底部６と側面部７に囲まれた収納空間８を有している。以下の説明において、側面部７から見て収納空間８側を内側と表す。
【００２１】
底部６は、容器本体２の下端部に位置する部位であり、下端に向かって先細りしている。底部６の大きさは、後述する吸引手段３の吸引管１２の下端部の吸引口２４の外径よりやや大きい。
【００２２】
側面部７は、底部６の周囲に沿って外側に向けて斜め上方に延伸した部位である。即ち、側面部７の外面は、下端に向かうにつれて先細りしたテーパー状となっている。
【００２３】
側面部７の上端内側側面には、容器本体２の周方向に沿った係合溝１０を有している。係合溝１０は、後述する吸引手段３の係合部１８と係合可能となっている。また、側面部７は、上下方向の中間位置に周方向に沿って形成された固定溝１４を有している。固定溝１４の幅は、支持部材５の支承部２２の外径よりやや大きい。
【００２４】
収納空間８は、シャンプーなどの洗浄液を収容可能な空間である。収納空間８の上方は開放している。そして、収納空間８は、上下方向中間部から底部６に向かうにつれて断面積が漸減している。
【００２５】
続いて、吸引手段３の構成について説明する。
【００２６】
吸引手段３（ディスペンサー）は、容器本体２内を密封状態にする蓋部１１と、容器本体２内の洗浄液を吸引する吸引管１２と、容器本体２内の洗浄液の吸引、加圧、圧送を制御するポンプ部１５と、上下動させてポンプ部１５を駆動する押圧ヘッド部１６からなっており、押圧ヘッド部１６は、加圧により洗浄液を外部へ吐出するノズル部１７が一体的に設けられている。
【００２７】
蓋部１１は、略円板状の板材であり、外部側面に周方向に沿った係合部１８を有している。この係合部１８は上記したように容器本体２の係合溝１０と係合可能となっている。
【００２８】
また、ポンプ部１５は、蓋部１１の中央位置に配されており、蓋部１１の下面から下方向に立設されており、その内部に押圧ヘッド部１６の一部が挿入可能となっている。
【００２９】
また、押圧ヘッド部１６及びノズル部１７は、一体的に蓋部１１の中央位置に上方向に立設されている。
【００３０】
吸引管１２は筒状の部位であり、その上端部の内側にポンプ部１５の下端が接続されている。吸引管１２の下端（下方向先端）には、洗浄液を吸引する吸引口２４を有する。吸引口２４の内径は、底部６の外形よりも小さい。
【００３１】
続いて、支持部材５の構成について説明する。
【００３２】
支持部材５は、容器本体２の転倒を防止するための部材であり、浴室の壁面に一体的に固定される壁固定部２０と、容器本体２を固定する容器固定部２１を有する。
【００３３】
壁固定部２０は図示しないネジ等の公知の部材によって浴室の壁面に固定されている。
【００３４】
容器固定部２１は、円環状に連続した支承部２２と、支承部２２と壁固定部２０を接続する接続部２３から形成されている。壁固定部２０と接続部２３と支承部２２は、全て一体となっている。また、壁固定部２０の接続面２５の略中央位置に接続部２３が立設しており、接続部２３の突出方向先端は、支承部２２と接続している。支承部２２全体の内径は、容器本体２の固定溝１４の外径とほぼ等しい。
【００３５】
続いて、洗浄液用容器１の各部材の位置関係について主に図１を用いて説明する。
【００３６】
容器本体２は、支持部材５に略垂直姿勢に支持されている。具体的には、支持部材５の支承部２２は、容器本体の側面部７の固定溝１４と係合することによって、容器本体２を支持している。即ち、支持部材５の支承部２２は、容器本体２の外面に接している。そして、支持部材５に対して容器本体２は着脱可能となっている。そのため、容易に容器本体２を取り外し可能であり、例え、浴室の壁面と容器本体２との間に汚れが溜まったとしても、容易に掃除が可能である。
【００３７】
また、支持部材５の支承部２２の内部に上方から容器本体２が挿入されている。言い換えると、支持部材５の支承部２２によって容器本体２の下方向への移動を規制している。そのため、使用者は、片手で押圧ヘッド部１６を押圧することで洗浄液を取り出すことが可能であるため、操作性が良い。
【００３８】
蓋部１１の係合部１８は、容器本体２の係合溝１０と係合し接続されている。具体的には、一方に対して螺合し接続されている。そして、洗浄液用容器１は、容器本体２と蓋部１１が接続することによって収納空間８を密閉状態に保っている。
【００３９】
容器本体２内の収納空間８に吸引手段３の吸引管１２の一部又は全部が挿入されている。即ち、収納空間８内に吸引口２４が配されており、吸引部材３の吸引口２４は容器本体２の底部６に至っている。また、容器本体２の底部６はポンプ部１５の吸引口２４の投影面に向けて先細りしている。そして、吸引口２４は、その投影面付近の洗浄液を吸引可能になっている。
【００４０】
続いて、洗浄液用容器１の洗浄液の詰め替え方法について説明する。
【００４１】
吸引手段３の蓋部１１を容器本体２に対して相対的に回転させ、蓋部１１を取り外す。その後、図２のように、公知の洗浄液の詰め替え容器から容器本体２の内部に洗浄液を移し替える。この時、容器本体２は上方の開口は大きいため、詰め替え容器から漏らさずに移し替えることが容易となる。
【００４２】
本発明の洗浄液用容器１を用いれば、容器本体２は、収納空間８は、その全体が底部６に向かうにつれて断面積が漸減しているため、例え、使用時に、シャンプー等の洗浄液の内容量が少なくなっていたとしても、吸引手段３の洗浄液の吸引力を低下させずにほぼ最後まで洗浄液を使用できる。正面視において容器本体２の外形は、略鋭角三角形状となっているため、側面部７に水滴等がついても、水切れが良く、ぬめりがつきにくい。
【００４３】
続いて、以下、本発明の第２実施形態について説明する。なお、第１実施形態と同様のものは同じ符番を付して説明を省略する。
【００４４】
第２実施形態における洗浄液用容器５０は、床面等に配置して使用されるものであり、シャンプー等の液状の洗浄液を収容可能なものである。第２実施形態の洗浄液用容器５０は、第１実施形態の洗浄液用容器１とは支持部材５が異なる。
【００４５】
支持部材５は、浴室の床面に載置された床固定部５２と、容器本体２を固定する容器固定部５１を有する。床固定部５２は、略中央位置に固定穴５５を有している。固定穴５５は、容器本体２の底部６の先端と係合可能な穴である。床固定部５２の断面積は容器本体２の外形の面積と同じかやや大きい。容器固定部５１は、支承部２２と、支承部２２と床固定部５２を接続する接続部５６からなる。床固定部５２と接続部５６と支承部２２は全て一体となっている。また、接続部５６は、略Ｌ状をしており、床固定部５２の上面に接続部５６が立設している。そして、支承部２２の下方位置に床固定部５２が配されている。
【００４６】
続いて、洗浄液用容器５０の支持部材５と各部材の位置関係について説明する。
【００４７】
容器本体２は支持部材５に略垂直姿勢に支持されている。具体的には、支持部材５の支承部２２が容器本体２の側面部７の固定溝１４と係合し、さらに、固定穴５５と容器本体２の底部６が係合することによって、支持されている。即ち、容器本体２の下方向の動きと水平方向の動きを規制している。
【００４８】
上記した実施形態では、容器本体２の外形が略円錐状のものを用いたが、本発明はこれに限定されるものではない。
【００４９】
上記した実施形態では、側面部７の内側側面に係合溝１０を形成する所謂内ネジ形状のものを採用したが、本発明はこれに限定されるものではなく、側面部７の外側側面に係合溝１０を形成する外ネジ形状のものを採用してもよい。
【符号の説明】
【００５０】
１    洗浄液用容器
２    容器本体
３    吸引手段
５    支持部材
６    底部
１２    吸引管
１５    ポンプ部
２２    支承部
【図１】
0005807154.tif 000002
【図２】
0005807154.tif 000003
【図３】
0005807154.tif 000004